(57)【要約】 【課題】医用画像データの暗号化処理、復号化処理において、セキュリティ性を向上させること。【解決手段】サーバは暗号化キーと復号化キーを生成する。そして、生成した暗号化キーに基づいて医用画像データを暗号化し、当該医用画像データをメディアに書き込み、自宅ＰＣにデータ移送する。また、生成した復号化キーをメディアとは別個に電子メール等により自宅ＰＣに送信する。【選択図】図５
2008132101.tif 000002
【特許請求の範囲】
【請求項１】
医用画像データの記憶管理を行う医用画像管理装置と、当該医用画像管理装置とデータ通信可能に構成された医用画像再生装置とを具備する医用画像管理システムにおいて、
前記医用画像管理装置は、
前記医用画像データを暗号化する暗号化手段と、
前記暗号化手段により暗号化された医用画像データを記憶媒体に書き込む書込手段と、
前記暗号化手段により暗号化された医用画像データを復号化するための復号情報を生成する復号情報生成手段と、
前記復号情報生成手段により生成された復号情報を前記医用画像再生装置に送信する復号情報送信手段と、
を備え、
前記医用画像再生装置は、
前記暗号化手段により暗号化された医用画像データを前記記憶媒体から読み込む読込手段と、
前記医用画像管理装置から送信された前記復号情報を受信する復号情報受信手段と、
前記復号情報受信手段により受信された復号情報に基づいて、前記読込手段によって読み込まれた前記医用画像データを復号化する復号化手段と、
を備えることを特徴とする医用画像管理システム。
【請求項２】
前記医用画像データは、患者情報を含む付帯情報と、実画像データとを有し、
前記暗号化手段は、前記付帯情報に含まれる患者情報を暗号化し、
前記復号化手段は、前記暗号化手段により暗号化された患者情報を復号化すること、
を特徴とする請求項１に記載の医用画像管理システム。
【請求項３】
医用画像再生装置とデータ通信可能に接続された、医用画像データの記憶管理を行う医用画像管理装置において、
前記医用画像データを暗号化する暗号化手段と、
前記暗号化手段により暗号化された医用画像データを記憶媒体に書き込む書込手段と、
前記暗号化手段により暗号化された医用画像データを復号化するための復号情報を生成する復号情報生成手段と、
前記復号情報生成手段により生成された復号情報を前記医用画像再生装置に送信する復号情報送信手段と、
を備えることを特徴とする医用画像管理装置。
【請求項４】
前記医用画像データは、患者情報を含む付帯情報と、実画像データとを有し、
前記暗号化手段は、前記付帯情報に含まれる患者情報を暗号化し、
前記復号情報生成手段は、前記暗号化手段により暗号化された患者情報を復号化するための復号情報を生成すること、
を特徴とする請求項３に記載の医用画像管理装置。
【請求項５】
コンピュータを、
医用画像データを暗号化する暗号化手段、
前記暗号化手段により暗号化された医用画像データを記憶媒体に書き込む書込手段、
前記暗号化手段により暗号化された医用画像データを復号化するための復号情報を生成する復号情報生成手段、
前記復号情報生成手段により生成された復号情報を、データ通信可能に接続された医用画像再生装置に送信する復号情報送信手段、
として機能させるためのプログラム。
【発明の詳細な説明】
【技術分野】
【０００１】
本発明は、医用画像データの記憶管理を行う医用画像管理装置と、当該医用画像管理装置とデータ通信可能に構成された医用画像再生装置とを具備する医用画像管理システム、当該医用画像管理装置及びプログラムに関する。
【背景技術】
【０００２】
医療の分野では、患者を撮影した医用画像のデジタル化が実現されている。具体的には、ＣＲ（Computed Radiography）装置やＣＴ（Computed Tomography）装置、ＭＲＩ（Magnetic Resonance Imaging）装置等の医用画像生成装置（以下、「モダリティ」と称す）が撮影して得られた医用画像の画像データ（以下、「医用画像データ」と称す）を生成する。この医用画像データは、ＰＡＣＳ（Picture Archiving and Communication System for medical application）と呼ばれるシステム中のサーバ（医用画像管理装置）で記憶管理されている。
【０００３】
医用画像データは、ＤＩＣＯＭ（Digital Imaging and Communication in Medicine）規格に準拠したデータ形式で、患者情報や検査情報を含む付帯情報と実画像データとから成る。ＤＩＣＯＭとは、医用画像の通信及び保存フォーマットに関する標準規格であり、この規格に準拠することで、異なる医療機器間での相互通信性が確保される。
【０００４】
ところで、近年はＤＩＣＯＭ規格や医療情報標準化規格（以下「ＨＬ７(Health Level 7)」と称す）等の標準規格を臨床現場のワークフローに則して適用するためのＩＨＥ（Integrating Healthcare Enterprise）及びＩＨＥ−Ｊ（Integrating Healthcare Enterprise - Japan）と呼ばれるガイドラインが定められ、運用されている。このＩＨＥ及びＩＨＥ−Ｊに則っとることで、医療機器間の相互通信性が高められている。
【０００５】
このような医用画像データの標準化により、ネットワークを介した医用画像データの提供が容易になった。また、医用画像データの提供方法としては、ＭＯディスクやＣＤ−Ｒ等の各種メディア（記憶媒体）を用いてデータ移送する方法もあり、メディアに医用画像データを記憶する際のデータ構造もＩＨＥ及びＩＨＥ−ＪのＰＤＩ（Portable Data for Imaging）によって定められている。そのため、メディアを用いた医用画像データの提供も容易になった。
【０００６】
ところで、医用画像データの付帯情報には、患者情報のような個人情報が含まれており、ネットワークを介した医用画像データの提供、メディアを用いた医用画像データの提供等において、セキュリティ対策が必要となっている。
【０００７】
これらの医用画像データの送受信におけるセキュリティ対策として、送信側でセキュリティ保護（暗号化処理）を施した医用画像データを用意し、この医用画像データのセキュリティ保護解除機能（復号化処理）を持つソフトウエアと共に受信側に送信する技術が挙げられる（特許文献１参照）。
【０００８】
また、送信側で医用画像データを付帯情報と実画像データに分離し、分離したデータ毎に暗号化処理を施し受信側に送信し、受信側で受信した各データに復号化処理を施す技術が挙げられる（特許文献２参照）。
【特許文献１】特開２００２−２３０１６５号公報
【特許文献２】特開２００２−２４７０２６号公報
【発明の開示】
【発明が解決しようとする課題】
【０００９】
しかし、特許文献１の技術では、セキュリティ保護を施された医用画像データと、セキュリティ保護解除機能を持つソフトウエアとを、ネットワークを介した一連の通信制御で送受信する。そのため、これらの通信データが第三者に傍受された場合、簡単に医用画像データのセキュリティ保護を解除して閲覧されてしまう危険性があった。
【００１０】
また、特許文献２の技術においても、暗号化された医用画像データと、暗号化及び復号化に必要な情報とを、ネットワークを介した一連の通信制御で送受信するため、特許文献１と同様に、第三者に簡単に閲覧されてしまう危険性があった。
【００１１】
本発明は、上述したような課題に鑑みて為されたものであり、その目的とするところは、医用画像データの暗号化処理、復号化処理において、セキュリティ性を向上させることである。
【課題を解決するための手段】
【００１２】
上記の課題を解決するために、請求項１に記載の発明は、
医用画像データの記憶管理を行う医用画像管理装置と、当該医用画像管理装置とデータ通信可能に構成された医用画像再生装置とを具備する医用画像管理システムにおいて、
前記医用画像管理装置は、
前記医用画像データを暗号化する暗号化手段と、
前記暗号化手段により暗号化された医用画像データを記憶媒体に書き込む書込手段と、
前記暗号化手段により暗号化された医用画像データを復号化するための復号情報を生成する復号情報生成手段と、
前記復号情報生成手段により生成された復号情報を前記医用画像再生装置に送信する復号情報送信手段と、
を備え、
前記医用画像再生装置は、
前記暗号化手段により暗号化された医用画像データを前記記憶媒体から読み込む読込手段と、
前記医用画像管理装置から送信された前記復号情報を受信する復号情報受信手段と、
前記復号情報受信手段により受信された復号情報に基づいて、前記読込手段によって読み込まれた前記医用画像データを復号化する復号化手段と、
を備えることを特徴としている。
【００１３】
請求項２に記載の発明は、請求項１に記載の発明において、
前記医用画像データは、患者情報を含む付帯情報と、実画像データとを有し、
前記暗号化手段は、前記付帯情報に含まれる患者情報を暗号化し、
前記復号化手段は、前記暗号化手段により暗号化された患者情報を復号化すること、
を特徴としている。
【００１４】
請求項３に記載の発明は、
医用画像再生装置とデータ通信可能に接続された、医用画像データの記憶管理を行う医用画像管理装置において、
前記医用画像データを暗号化する暗号化手段と、
前記暗号化手段により暗号化された医用画像データを記憶媒体に書き込む書込手段と、
前記暗号化手段により暗号化された医用画像データを復号化するための復号情報を生成する復号情報生成手段と、
前記復号情報生成手段により生成された復号情報を前記医用画像再生装置に送信する復号情報送信手段と、
を備えることを特徴としている。
【００１５】
請求項４に記載の発明は、請求項３に記載の発明において、
前記医用画像データは、患者情報を含む付帯情報と、実画像データとを有し、
前記暗号化手段は、前記付帯情報に含まれる患者情報を暗号化し、
前記復号情報生成手段は、前記暗号化手段により暗号化された患者情報を復号化するための復号情報を生成すること、
を特徴としている。
【００１６】
請求項５に記載のプログラムは、
コンピュータを、
医用画像データを暗号化する暗号化手段、
前記暗号化手段により暗号化された医用画像データを記憶媒体に書き込む書込手段、
前記暗号化手段により暗号化された医用画像データを復号化するための復号情報を生成する復号情報生成手段、
前記復号情報生成手段により生成された復号情報を、データ通信可能に接続された医用画像再生装置に送信する復号情報送信手段、
として機能させることを特徴としている。
【発明の効果】
【００１７】
本発明によれば、医用画像管理装置が、医用画像データを暗号化する暗号化手段と、暗号化された医用画像データを記憶媒体に書き込む書込手段を備える。そして、医用画像管理装置は、暗号化された医用画像データを復号化するための復号情報を医用画像再生装置に送信する復号情報送信手段を備える。そのため、暗号化された情報と復号化するための情報とを別手段で医用画像再生装置に送ることが可能である。
【００１８】
したがって、第三者に復号情報を傍受されたとしても、医用画像データは記憶媒体に記憶されてデータ移送されるため、医用画像データを閲覧される恐れは少ない。また、医用画像データを記憶した記憶媒体を紛失しても、記憶された医用画像データは暗号化されており、復号情報はネットワークを介して送信されているため、医用画像データを閲覧される恐れは少ない。そのため、医用画像データの暗号化処理、復号化処理において、セキュリティ性を向上させることができる。
【発明を実施するための最良の形態】
【００１９】
[第１の実施形態]
以下、図１〜図９を参照して本発明の第１の実施形態を説明する。
【００２０】
[医用画像管理システムの構成]
図１は、医用画像管理システム１のシステム構成の一例を示すブロック図である。医用画像管理システム１は、ある病院のＰＡＣＳのサーバ２と患者の自宅にある自宅ＰＣ３とを備えて構成されている。サーバ２と自宅ＰＣ３はネットワークＮを介してデータ通信可能に接続されている。
【００２１】
サーバ２は、モダリティにより生成された医用画像データをデータベース化して記憶管理する医用画像管理装置である。また、自宅ＰＣ３は、医用画像データを再生する医用画像再生装置である。医用画像データは、付帯情報と実画像データとを有し、例えば、ＤＩＣＯＭ規格に準拠したデータ形式により構成される。付帯情報は、患者ＩＤ、氏名、性別及び生年月日等の患者情報や、検査日時や検査部位等の検査情報等を有して構成される。
【００２２】
サーバ２で記憶管理されている医用画像データは、メディア４を介して自宅ＰＣ３にデータ移送される。メディア４がデータを記憶する際のデータ構造は、ＩＨＥ及びＩＨＥ−ＪのＰＤＩによって予め定められている。
【００２３】
また、メディア４を介してサーバ２から自宅ＰＣ３にデータ移送される医用画像データの付帯情報に含まれる患者情報は暗号化される。具体的に、サーバ２は、暗号化キー（暗号情報）、復号化キー（復号情報）を生成し、暗号化キーに基づいて医用画像データの付帯情報に含まれる患者情報を暗号化して、メディア４に医用画像データを書き込む。そして、復号化キーをネットワークＮを介して電子メール等で自宅ＰＣ３に送信する。
【００２４】
一方、自宅ＰＣ３は、メディア４に書き込まれた医用画像データを読み込む。また、自宅ＰＣ３は、ネットワークＮを介して電子メール等でサーバ２から復号化キーを受信し、読み込んだ医用画像データの付帯情報に含まれる患者情報をその復号化キーに基づいて復号化する。
【００２５】
[サーバの機能構成]
次に、サーバ２の機能構成について、図２を参照して説明する。サーバ２は、図２に示すように、ＣＰＵ（Central Processing Unit）２０と、ＲＡＭ（Random Access Memory）２７と、記憶部２４と、入力部２１と、表示部２２と、通信部２３と、Ｉ／Ｆ部２５とを備えて構成される。
【００２６】
ＣＰＵ２０は、各機能部の動作の制御と、機能部間のデータ入出力の制御等を行うことでサーバ２を統括的に管理・制御する。
【００２７】
具体的には、入力部２１から入力される操作信号に応じて記憶部２４に格納されたプログラムをＲＡＭ２７に読み出し、当該プログラムに従った処理を実行する。そして、その処理結果に基づいて、表示部２２の表示画面の更新や記憶部２４へのデータの記憶、通信部２３を介した外部機器とのデータ通信等を行う。
【００２８】
入力部２１は、カーソルキーやテンキー等の各種キー群や、マウスやタッチパネルなどのポインティングデバイスを備えて構成される。入力部２１は、ユーザに押下されたキーに対応する操作信号や、ポインティングデバイスにより指定された画面上の座標位置に対応する操作信号をＣＰＵ２０に出力する。
【００２９】
表示部２２は、ＣＲＴ（Cathode-ray Tube）やＬＣＤ等により構成され、ＣＰＵ２０の制御に基づいた表示画面の表示を行う。
【００３０】
通信部２３は、ＬＡＮインターフェイスやモデム等により構成され、ネットワークＮ等を介して外部の機器とデータ通信を行う機能部である。Ｉ／Ｆ部２５は、メディアドライブ２６との間で所定の通信方式に基づいてデータ通信を行う機能部であり、例えば、ＵＳＢやＳＣＳＩ等により構成される。
【００３１】
メディアドライブ２６は、各種メディアに対してデータの読み書きを行う装置であり、ＣＤドライブであればＣＤ−ＲやＣＤ−ＲＷに、ＤＶＤドライブであればＤＶＤ−ＲやＤＶＤ−ＲＷに書き込み及び読み出しを行う。
【００３２】
記憶部２４は、磁気的、光学的な記憶媒体にデータの読み書きを行う機能部であり、ＨＤＤ（Hard Disk Drive）等により構成される。記憶部２４は、医用画像ＤＢ２４０とＰＤＩビューア２４１と暗号化プログラム２４２とを記憶する。
【００３３】
ＰＤＩビューア２４１は、ＰＤＩによって定められたデータ構造のメディアに記憶された医用画像データを閲覧するためのプログラムである。また、ＰＤＩビューア２４１は、医用画像データに含まれる付帯情報中の患者情報を復号化するための復号化プログラムを含む。尚、この復号化処理には復号化キーが必要であり、当該プログラムは、ユーザによる復号キーの入力を求める。
【００３４】
医用画像ＤＢ２４０は、モダリティから受信した医用画像を検索可能に記憶するデータベースであり、例えば、当該医用画像データに含まれる付帯情報に基づいてリレーショナルに記憶する。
【００３５】
暗号化プログラム２４２は、制御部２０に、暗号化キー（暗号情報）と復号化キー（復号情報）を生成させ、当該暗号化キーに基づいて医用画像データに含まれる付帯情報中の患者情報を暗号化させるためのプログラムである。
【００３６】
読影医等のユーザは、サーバ２に記憶されている医用画像データをメディア４に書き込む際には、対象となる患者のＩＤや氏名（患者情報）、検査ＩＤや検査日時（検査情報）といった様々な検索キーを入力する。ＣＰＵ２０は、この入力された患者情報や検査情報に対応付けられた医用画像データを医用画像ＤＢ２４０から検索して読み出す。
【００３７】
ＣＰＵ２０は、暗号化プログラム２４２と協働することにより暗号化手段、復号情報生成手段として機能する。即ちＣＰＵ２０は、患者情報を暗号化する暗号化キーと、暗号化された患者情報を復号化する復号化キーとを生成し、当該暗号化キーに基づいて医用画像データの付帯情報に含まれる患者情報を暗号化する。そしてＣＰＵ２０は、暗号化した当該医用画像データをメディア４に書き込む。
【００３８】
また、ＣＰＵ２０は、ＰＤＩビューア２４１を記憶部２４から読み出して、メディア４に書き込む。このため、サーバ２は、図４に示すように、医用画像データ（実画像データと付帯情報）と、ＰＤＩビューア２４１とを書き込んだメディアを作成する。
【００３９】
また、ＣＰＵ２０は、復号化キーをネットワークＮを介してメール等で自宅ＰＣ３に送信することで、医用画像データを記憶したメディア４とは別個に復号化キーを送信する。尚、暗号化、復号化の方式は、秘密鍵暗号方式や公開鍵暗号方式等の公知技術を適宜採用可能である。
【００４０】
[自宅ＰＣの機能構成]
次に、自宅ＰＣ３の機能構成について、図３を参照して説明する。自宅ＰＣ３の各機能部の主要な構成は、サーバ２の各機能部の主要な構成と略同一である。このため、自宅ＰＣ３の機能構成については、サーバ２と異なる部分を中心に説明する。
【００４１】
自宅ＰＣ３は、図３に示すように、ＣＰＵ３０と、ＲＡＭ３７と、記憶部３４と、入力部３１と、表示部３２と、通信部３３と、Ｉ／Ｆ部３５とを備えて構成される。
【００４２】
記憶部３４は、サーバ２で暗号化された患者情報を復号化するための復号化キー３４０を記憶する。ＣＰＵ３０は、サーバ２からネットワークＮを介して送信された復号化キー３４０を受信すると、この受信した復号化キー３４０を記憶部３４に記憶させる。
【００４３】
ＣＰＵ３０は、ＰＤＩビューア２４１に含まれる復号化プログラムと協働することにより復号化手段として機能する。即ち、ＣＰＵ３０は、ユーザによって入力された復号化キーに基づいて医用画像データの付帯情報に含まれる患者情報を復号化する。
【００４４】
[具体的な動作]
次に、医用画像管理システム１の具体的な動作を図５を参照して説明する。ここで、図５の処理は、サーバ２のＣＰＵ２０と自宅ＰＣ３のＣＰＵ３０によって行われる処理であるが、説明の簡略化のため、サーバ２と自宅ＰＣ３とを主体として記述する。
【００４５】
読影医等のユーザは、サーバ２に記憶管理されている医用画像データをメディア４に書き込む際に、対象となる患者ＩＤや氏名等の検索キーを入力部２１から入力する。サーバ２は、入力されたこれらの検索キーに基づいて、医用画像ＤＢ２４０から該当する医用画像データを読み出す。
【００４６】
そして、サーバ２は、暗号化キーと復号化キー３４０を生成する（ステップＳ１、ステップＳ２）。そして、サーバ２は、生成した復号化キー３４０を自宅ＰＣにネットワークＮを介して電子メールで送信する（ステップＳ３）。ここで、復号化キー３４０は、具体的にはＰＤＩビューア２４１上で入力するパスワードである。また、送信された復号化キー３４０は、自宅ＰＣ３の記憶部３４に記憶される。
【００４７】
次に、サーバ２は、医用画像ＤＢ２４０から読み出した医用画像データの付帯情報に含まれる患者情報を暗号化キーに基づいて暗号化し、当該医用画像データをメディア４に書き込む（ステップＳ４）。また、サーバ２は、ＰＤＩビューア２４１を記憶部２４から読み出してメディア４に書き込む。
【００４８】
患者等のユーザは、当該メディア４を自宅に持ち帰り、自宅ＰＣ３のメディアドライブ３６に当該メディア４を挿入する。自宅ＰＣ３は、当該メディア４から医用画像データ、ＰＤＩビューア２４１を読み込み（ステップＳ５）、ＰＤＩビューア２４１を起動する（ステップＳ６）。このとき、表示部３２には、図６及び図７に示すように患者情報に該当する患者項目３２０ｂ及び患者情報３２１ａが暗号化されたままの状態でＰＤＩビューア２４１を介して医用画像データが表示される。
【００４９】
次に、自宅ＰＣ３は、患者等のユーザによる入力部３１からの信号に基づいて、復号キー３４０を表示部３２に表示する。そして、患者等のユーザは、表示部３２に表示された復号キー３４０を入力部３１から入力する。自宅ＰＣ３は、入力された復号化キー３４０に基づいて患者情報を復号化し（ステップＳ７、ステップＳ８）、患者情報が復号化された医用画像データを図８及び図９に示すように、表示部３２に表示させる（ステップＳ９）。ここで、復号化された患者情報は、図８における患者項目３２２ｂ、図９における患者情報３２３ａである。また、自宅ＰＣ３のステップＳ７、ステップＳ８の処理は、ＰＤＩビューア２４１に含まれる復号化プログラムに基づいて行われる。
【００５０】
[画面例]
次に、図６〜図９を用いてＰＤＩビューア２４１の画面例を示す。図６は復号化処理前の画像選択画面３２０、図７は復号化処理前のタグ情報表示画面３２１、図８は復号化処理後の画像選択画面３２２、図９は復号化処理後のタグ情報表示画面３２３である。
【００５１】
先ず、復号化処理前の画像選択画面３２０、タグ情報表示画面３２１について説明する。図６に示すように画像選択画面３２０中の患者一覧３２０ａは、患者項目３２０ｂ−検査項目３２０ｃ−シリーズ項目３２０ｄ−医用画像項目３２０ｅとツリー形式で構成されている。また、患者項目３２０ｂは「A@@@@@B(Q[YdQ ZYb_)」と文字化けの状態で表示されている。
【００５２】
医用画像項目３２０ｅの一つをダブルクリックすると、図７に示すように当該画像に関連するタグ情報表示画面３２１が表示される。項目「患者の名前」は「Q[YdQ ZYb_=+4…」、項目「患者ＩＤ」は「A@@@@@B」、項目「患者の誕生日」は「AIHE@E@H」、項目「患者の性別」は「]」と文字化けの状態で暗号化されて表示される（患者情報３２１ａ）。
【００５３】
次に、復号化処理後の画像選択画面３２２、タグ情報表示画面３２３について説明する。図８に示すように画像選択画面３２２中の患者一覧３２２ａ中の患者項目３２２ｂは「1000002(AKITA JIRO)」となっており、文字化けの状態から復号化されて表示される。
【００５４】
医用画像項目３２２ｅの一つをダブルクリックすると、図９に示すように当該画像に関連するタグ情報表示画面３２３が表示される。項目「患者の名前」は「AKITA JIRO=秋田 次郎=アキタ ジロウ」、項目「患者ＩＤ」は「1000002」、項目「患者の誕生日」は「19850508」、項目「患者の性別」は「M」となっており、それぞれが文字化けの状態から復号化されて表示される（患者情報３２３ａ）。
【００５５】
以上、第１の実施形態によれば、サーバ２は、医用画像データを暗号化し、暗号化された医用画像データをメディア４に書き込む。そして、サーバ２は、暗号化された医用画像データを復号化するための復号化キー３４０を自宅ＰＣ３に送信する。そのため、暗号化された医用画像データと復号化キー３４０とを別手段で自宅ＰＣ３に送ることが可能である。
【００５６】
したがって、第三者に復号化キー３４０を傍受されたとしても、医用画像データはメディア４に記録されてデータ移送されるため、医用画像データを閲覧される恐れは少ない。また、医用画像データを記憶したメディア４を紛失しても、記録された医用画像データは暗号化されおり、復号化キー３４０はネットワークを介して送信されているため、医用画像データを閲覧される恐れは少ない。そのため、医用画像データの暗号化処理、復号化処理において、セキュリティ性を向上させることができる。
【００５７】
[第２の実施形態]
次に、図１０を参照して本発明の第２の実施形態を説明する。この説明において、第１の実施形態と異なる部分を説明する。
【００５８】
[具体的な動作]
第２の実施形態におけるサーバ２は、上述した第１の実施形態と同様に、暗号化キーと復号化キー３４０とを生成する（ステップＳ１０１、ステップＳ１０２）。そして、サーバ２は、記憶部２４に記憶されている復号ソフトを読み出し、復号化キー３４０を組み込む（ステップＳ１０３）。次に、サーバ２は、当該復号ソフトを自宅ＰＣにネットワークＮを介して電子メールで送信する（ステップＳ１０４）。また、自宅ＰＣ３に送信された復号ソフトは、自宅ＰＣ３の記憶部３４に記憶される。ここで、復号ソフトとは、ＣＰＵ３０に、当該復号ソフトに組み込まれた復号化キー３４０を読み込ませ、患者情報を復号化させるプログラムである。
【００５９】
次に、サーバ２は、作成した暗号化キーを用いて、医用画像ＤＢ２４０から読み出した医用画像データの付帯情報に含まれる患者情報を暗号化し、当該医用画像データをメディア４に書き込む（ステップＳ１０５）。また、サーバ２は、ＰＤＩビューア２４１を記憶部２４から読み出してメディア４に書き込む。
【００６０】
患者等のユーザは、当該メディア４を自宅に持ち帰り、自宅ＰＣ３のメディアドライブ３６に当該メディア４を挿入する。自宅ＰＣ３は、当該メディア４から医用画像データ、ＰＤＩビューア２４１を読み込み（ステップＳ１０６）、ＰＤＩビューア２４１を起動する（ステップＳ１０７）。ＰＤＩビューア２４１が起動すると、ＣＰＵ３０は、ＰＤＩビューア２４１のプログラム命令に基づいて復号ソフトを起動させ、復号ソフトに組み込まれた復号化キー３４０を読み込む（ステップＳ１０８）。そして、ＣＰＵ３０は、読み込んだ復号化キー３４０に基づいて患者情報を復号化し（ステップＳ１０９）、表示部３２に、患者情報が復号化された医用画像データを図８及び図９に示すように表示させる（ステップＳ１１０）。
【００６１】
以上、第２の実施形態によれば、ＣＰＵ３０が、復号ソフトのプログラム命令により、当該復号ソフトに組み込まれた復号化キー３４０を読み込んで患者情報を復号化する。そのため、患者等のユーザが復号化キー３４０（パスワード）をＰＤＩビューアに入力する手間を省ける。
【００６２】
[変形例]
尚、上述した実施形態の医用画像管理システム１の構成において、自宅ＰＣ３の代わりとして、サーバ２とは別のＰＡＣＳ中のサーバに置き換えて、各ＰＡＣＳのサーバ間で医用画像データのデータ移送を行ってもよい。
【００６３】
尚、上述した実施形態において、患者情報に暗号化処理、復号化処理を施すとしたが、付帯情報又は医用画像データ全体に暗号化処理、復号化処理を施してもよい。
【図面の簡単な説明】
【００６４】
【図１】医用画像管理システムのシステム構成図。
【図２】サーバのブロック図。
【図３】自宅ＰＣのブロック図。
【図４】メディアに記録されたデータ構造の概要図。
【図５】第１の実施形態におけるシーケンス図。
【図６】復号化処理前の画像選択画面。
【図７】復号化処理前のタグ情報表示画面。
【図８】復号化処理後の画像選択画面。
【図９】復号化処理後のタグ情報表示画面。
【図１０】第２の実施形態におけるシーケンス図。
【符号の説明】
【００６５】
１        医用画像管理システム
２        サーバ
３        自宅ＰＣ
４        メディア
２０      ＣＰＵ
２１      入力部
２２      表示部
２３      通信部
２４      記憶部
２５      Ｉ／Ｆ部
２６      メディアドライブ
２７      ＲＡＭ
３０      ＣＰＵ
３１      入力部
３２      表示部
３３      通信部
３４      記憶部
３５      Ｉ／Ｆ部
３６      メディアドライブ
３７      ＲＡＭ
２４０    医用画像ＤＢ
２４１    ＰＤＩビューア
２４２    暗号化プログラム
３２０    復号化処理前の画像選択画面
３２１    復号化処理前のタグ情報表示画面
３２２    復号化処理後の画像選択画面
３２３    復号化処理後のタグ情報表示画面
３４０    復号化キー
Ｎ        ネットワーク
【図１】
2008132101.tif 000003
【図２】
2008132101.tif 000004
【図３】
2008132101.tif 000005
【図４】
2008132101.tif 000006
【図５】
2008132101.tif 000007
【図６】
2008132101.tif 000008
【図７】
2008132101.tif 000009
【図８】
2008132101.tif 000010
【図９】
2008132101.tif 000011
【図１０】
2008132101.tif 000012